(57)【要約】【課題】表示内容が必要とする表示領域に応じて、表示領域を分割、可変し、１つの表示装置で視聴者それぞれに最適な大きさの情報表示を行うようにする。【解決手段】一画面表示または分割画面表示の形態で映像を表示する表示部１０と、複数の視聴者の操作コマンドに基づいて一画面表示または分割画面表示の画面表示形態を指示する指示信号を出力するとともに、操作コマンドに示されたコンテンツからの映像種別を判定し、この判定した映像種別の組合せに基づいて分割画面の表示領域の指示信号を出力する制御手段３０と、制御手段３０からの画面表示形態を指示する指示信号に基づいて、コンテンツ素材データ格納手段４１から指示されたコンテンツの映像信号および音声信号を読み取り出力するコンテンツ管理部４０と、制御手段３０から与えられた表示領域の指示信号に基づいて前記コンテンツ管理部４０から供給された分割画面に対する映像を合成して表示部１０に供給する映像処理手段５０とを備えたものである。【選択図】図１
2010186131.tif 000002
【特許請求の範囲】
【請求項１】
一画面表示または分割画面表示の形態で映像を表示する表示部と、
複数の視聴者の操作コマンドに基づいて一画面表示または分割画面表示の画面表示形態を指示する指示信号を出力するとともに、前記操作コマンドに示されたコンテンツからの映像種別を判定し、この判定した映像種別の組合せに基づいて分割画面の表示領域の指示信号を出力する制御手段と、
前記制御手段からの画面表示形態を指示する指示信号に基づいて、コンテンツ素材保持手段から指示されたコンテンツの映像信号および音声信号を読み取り出力するコンテンツ管理手段と、
前記制御手段から与えられた表示領域の指示信号に基づいて前記コンテンツ管理手段から供給された分割画面に対する映像信号を合成して前記表示部に供給する映像処理手段と、
を備えた表示領域分割可変表示装置。
【請求項２】
制御手段は、映像種別による画面比率テーブルを保持するメモリを有し、複数視聴者それぞれの操作コマンドに示されたコンテンツから映像種別を判定し、この映像種別の組合せに基づいて前記メモリから分割画面の画像比率信号を出力することを特徴とする請求項１記載の表示領域分割可変表示装置。
【請求項３】
制御手段は、表示画面を分割画面に切換えたり、分割画面の画面比率を調整することが可能な画像切換え部を有し、この画像切換え部を視聴者が手動操作して、画面切換え信号および画面比率信号を出力することを特徴とする請求項１記載の表示領域分割可変表示装置。
【請求項４】
制御手段は、分割画面表示形態で表示されている複数の映像が同一となる場合、この分割画面表示形態から一画面表示形態に切換えることを特徴とする請求項１記載の表示領域分割可変表示装置。
【請求項５】
制御手段は、一画面表示形態で表示されている場合、新たな映像表示の指示を受けると、一画面表示形態から分割画面表示形態に切換えることを特徴とする請求項１記載の表示領域分割可変表示装置。
【発明の詳細な説明】
【技術分野】
【０００１】
この発明は、１つの表示装置の表示領域を分割し、それぞれの表示領域をコンテンツに応じて可変するようにした表示領域分割可変表示装置に関するものである。
【背景技術】
【０００２】
近年、例えば、車両内においては、天井面に取付けられた１つの表示装置の表示領域を分割し、視聴者Ａが音楽コンテンツを視聴中に、視聴者Ｂがテレビ番組を視聴するといったように、各視聴者が自らの好みにあったコンテンツを同時に視聴可能なことが望まれている。
【０００３】
従来、１つの表示装置の表示領域を分割し、それぞれの表示領域に異なる情報を表示するものとして、例えば、特許文献１に記載された映像処理装置および映像処理方法は、２画面分割表示と１画面表示の切換えに関する。つまり、ディスプレイ部の表示領域を２画面に分割し、それぞれの分割画面に異なる映像を表示するとともに、分割画面に表示されている映像が同一となる場合には、表示形態を２画面表示から１画面表示に切り替えるものである。
【０００４】
また、特許文献２に記載された複数画面表示機能付きテレビジョン装置は、テレビジョン装置における一時的な複数画面表示に関する。つまり、分割表示機能開始時における新規視聴者とテレビジョン装置の距離が一定範囲以内である場合に、新規画面の種別によって分割画面の大きさや配置を決定するものである。
【先行技術文献】
【特許文献】
【０００５】
【特許文献１】特開２００７−２９５０４８号公報
【特許文献２】特開２００７−２８８３７９号公報
【発明の概要】
【発明が解決しようとする課題】
【０００６】
上記の特許文献１に開示された映像処理装置および映像処理方法は、横長のディスプレイ部の画面を左右に単純に２分割し、それぞれの分割画面に映画やテレビ番組を表示することで、各乗員に異なるコンテンツを視聴させる。また、左右画面の視聴コンテンツが同一の場合には表示形態を自動的に１画面表示とすることによって、各乗員の利便性を向上させている。
【０００７】
しかし、ディスプレイ部の画面を左右に単純に２分割し、片方の画面でテレビ番組など広い表示領域を必要とするコンテンツを視聴中に、他方の画面で音楽楽曲など広い表示領域を必要としないコンテンツを視聴するような場合では、いずれかの表示領域に無駄が生じ、必ずしも各乗員に最適な画面表示を提供することができないという課題があった。
【０００８】
また、特許文献２に開示された複数画面表示機能付きテレビジョン装置は、２分割表示機能を開始する際に、新たに表示するコンテンツの映像種別によって分割された画面の大きさや配置を決定することで、新規視聴者に最適な表示を提供する。
【０００９】
しかし、既視聴者の映像種別については言及されていないため、車両内において必ずしも各乗員に最適な画面表示を提供することができない。つまり、既視聴者のコンテンツの映像種別が広い表示領域を必要としているか否かに関わらず、新規視聴者のコンテンツの映像種別によって分割画面の大きさや配置を決定するため、既視聴者は最適な画面表示を享受できない。また、２分割表示機能開始後に視聴するコンテンツの変更に伴う表示形態の変更は考慮されていない。このため、車両内のように継続的に２画面表示を行う場合には、必ずしも最適な表示領域による分割画面表示を提供することができないという課題があった。
【００１０】
この発明は上記のような課題を解消するためになされたもので、複数視聴者それぞれの視聴内容に応じて、表示画面の分割および分割画面の表示領域を可変することにより、１つの表示装置で視聴者それぞれに最適な大きさの情報表示を行う表示領域分割可変表示装置を提供することを目的とする。
【課題を解決するための手段】
【００１１】
この発明に係る表示領域分割可変表示装置は、一画面表示または分割画面表示の形態で映像を表示する表示部と、複数の視聴者の操作コマンドに基づいて一画面表示または分割画面表示の画面表示形態を指示する指示信号を出力するとともに、操作コマンドに示されたコンテンツからの映像種別を判定し、この判定した映像種別の組合せに基づいて分割画面の表示領域の指示信号を出力する制御手段と、制御手段からの画面表示形態を指示する指示信号に基づいて、コンテンツ素材保持手段から指示されたコンテンツの映像信号および音声信号を読み取り出力するコンテンツ管理手段と、制御手段から与えられた表示領域の指示信号に基づいて前記コンテンツ管理手段から供給された分割画面に対する映像信号を合成して表示部に供給する映像処理手段とを備えたものである。
【発明の効果】
【００１２】
この発明によれば、複数視聴者それぞれの視聴内容に応じて、表示画面の分割および分割画面の表示領域を可変するように構成したので、例えば、映像等の広い表示領域を必要とするコンテンツ視聴の際には表示領域を広く占有し、音楽等の広い表示領域を必要としないコンテンツ視聴の場合は狭い表示領域として、１つの表示装置で視聴者それぞれに最適な大きさの情報表示を行うことができる効果がある。
【図面の簡単な説明】
【００１３】
【図１】この発明の実施の形態１に係わる表示領域分割可変表示装置の構成を示すブロック図である。
【図２】ディスプレイ部の表示画面を分割した１例を示す正面図である。
【図３】選択画像に関する設定テーブルを示す図である。
【図４】映像種別による画面比率テーブルを示す図である。
【図５】表示動作を説明するフロー図である。
【図６】表示形態の変化を示す説明図である。
【図７】この発明の実施の形態２に係わる表示領域分割可変表示装置の構成を示すブロック図である。
【図８】実施の形態２に係わる表示形態の変化を示す説明図である。
【図９】表示形態の変化を示す他の説明図である。
【発明を実施するための形態】
【００１４】
実施の形態１．
以下、この発明の表示領域分割可変表示装置を図面に示す実施の形態１について具体的に説明する。図１は表示領域分割可変表示装置１の構成を示すブロック図であり、表示部としてのディスプレイ部１０、制御手段３０、コンテンツ管理部４０、映像処理手段５０を有する。この表示領域分割可変表示装置１は、プログラムを記憶する記録媒体（図示せず）、このプログラムを実行させるＣＰＵ（Ｃｅｎｔｒａｌ  Ｐｒｏｃｅｓｓｉｎｇ  Ｕｎｉｔ）（図示せず）、このプログラムを無線通信により受信する通信系統（図示せず）等とともに、車両に搭載されて１つのＡＶ（Ａｕｄｉｏ  Ｖｉｓｕａｌ）装置を構成する。
【００１５】
ディスプレイ部１０は図２に示すように表示画面１１を有し、一方のみの視聴あるいは左右同じ視聴内容の画面モードでは、表示画面１１は１つの表示領域となり、左右それぞれ異なる視聴内容である画面モードでは、表示画面１１が２画面に分割され、その各分割画面１２，１３に異なる視聴内容を表示する。従って、表示画面１１は左右の映像ソースからそれぞれ得られる２つの映像を横に並べて表示するのに適した横長の形状が有効である。
【００１６】
図２は表示画面１１を例えば境界線（図中の点線）を基準にして左右対称に２分割した分割画面である。この分割画面は等分の２画面表示に用いられるが、この表示比率は、それぞれの視聴内容の種別によって１：２や１：３・・のように任意の比率に可変することが可能であり、その分割形態の詳細については後述する。
【００１７】
左右の入力インタフェース部２１，２２は、視聴者の手動操作が可能なように構成されており、その手動操作に応じて操作コマンドを生成して、生成した操作コマンドを制御手段３０に供給する。この入力インタフェース部２１，２２は、リモコンやハードデバイス等、その形態は構成によって異なる。
【００１８】
なお、実施の形態１では、２つの入力インタフェース部２１，２２で構成しているが、その個数および形態は図示に限定されない。例えば、複数の視聴者それぞれの操作を個別に識別可能な視聴者識別手段を備えた１つの入力インタフェースであってもよい。
【００１９】
制御手段３０は、メモリ３１、映像種類判別部３２、操作処理部３３、指示処理部３４を備えている。メモリ３１は図３に示す選択映像に関する設定テーブルと、図４に示す映像種別による画面比率テーブルを保持している。そして、図３に示す選択映像に関する設定テーブルの内容は、入力インタフェース部２１，２２からの操作コマンドによって随時更新される。例えば、分割画面Ａの視聴内容の種別を動画からメニューに切換え、また、分割画面Ｂの視聴内容の種別を音楽から動画に切換える。
【００２０】
映像種別判別部３２は、後述する操作処理部３３を介して供給される入力インタフェース部２１，２２からの操作コマンドによって選択された映像の種別を判定し、メモリ３１が保持する選択映像に関する設定テーブルの内容を随時更新する。
【００２１】
操作処理部３３は、入力インタフェース部２１，２２から出力される操作コマンドを受信し、受信した操作コマンドが表示される映像または出力される音声の制御に用いられるものである場合、この操作コマンドを映像種別判別部３２と指示処理部３４に出力する。
【００２２】
指示処理部３４は、操作処理部３３からの操作コマンドを受信および解析し、操作コマンドに示された制御内容の識別および有効性を判断する。そして、この制御内容に関連するメモリ３１の各種設定情報の参照を行なう。また、解析結果に基づいて指示信号を生成し、生成した指示信号をコンテンツ管理部４０、映像処理手段５０の映像合成部５３に供給し、映像表示および音声出力の制御を行う。
【００２３】
例えば、指示処理部３４は、分割画面１２に表示される映像を切換える場合、操作処理部３３からの操作コマンドに基づいて、映像処理部５１、音声出力部６１へ指定のコンテンツの映像信号および音声信号を出力する指示信号をコンテンツ管理部４０に供給するとともに、メモリ３１の画面比率テーブルを参照して、映像合成部５３に分割画面の合成比率を示す指示信号を出力する。
【００２４】
なお、この発明の実施の形態の説明全体を通して用いられている「映像」なる語は、フレームを基本単位として生成、伝送または処理される信号（映像信号）の、表示画面１１上での視覚表現の総称を意味する。
【００２５】
コンテンツ管理部４０は、映画や動画、音楽楽曲等のＨＤＤ内コンテンツ、ＣＤ／ＤＶＤデッキやテレビチューナ、外部入力、ネットワーク通信による外部コンテンツ等を管理する。このコンテンツ管理部４０は、画面表示形態が２画面分割表示の場合、指示処理部３４からの指示信号に従って、入力インタフェース部Ａ２１によって操作可能な分割画面１２に表示されるコンテンツソースの映像信号を映像処理部５１に、音声信号を音声処理部６１に出力し、入力インタフェース部Ｂ２２によって操作可能な分割画面１３に表示されるコンテンツソースの映像信号を映像処理部５２に、音声信号を音声処理部６２に出力する。
【００２６】
また、コンテンツ管理部４０は、画面表示形態が１画面表示の場合、指示処理部３４からの指示信号に従って、表示画面１１に表示されるコンテンツの映像信号を、映像処理部５１および映像処理部５２に、音声信号を音声処理部６１および音声処理部６２に出力する。
【００２７】
なお、この発明の実施の形態１では、入力ソースとして、映画や動画、音楽楽曲等のＨＤＤ内コンテンツ、ＣＤ／ＤＶＤデッキやテレビチューナ、外部入力、ネットワーク通信による外部コンテンツを例示しているが、ＡＭ／ＦＭチュ−ナやブルーレイディスクデッキなどが含まれてもよい。
【００２８】
映像処理手段５０は、映像処理部５１、５２、映像合成部５３、映像出力部５４を備え、ディスプレイ部１０に表示すべき映像信号を出力する。映像処理部５１、５２は
コンテンツ管理部４０から得られる映像信号に所定の映像処理を行なって映像合成部５３に出力する。
【００２９】
なお、この発明の実施の形態１では、２つの映像処理部５１，５２で構成しているが、この映像処理部の個数、形態は図示の構成に限定されない。例えば、２種類の映像信号を平行して個別に処理可能な一つの映像処理部で構成されてもよい。
【００３０】
映像合成部５３は、映像処理部５１，５２から出力される映像を、メモリ３１の情報を参照して指示処理部３４から指示される分割画面の画面比率で合成した２画面、あるいは１画面の形態で映像出力部５４に供給する。そして、映像出力部５４は供給された表示すべき映像をディスプレイ部１０に出力する。
【００３１】
音声出力部６１，６２は、コンテンツ管理部４０から出力される音声信号に対し、ボリュームによる音量調整等の所定の処理を行なって、スピーカ７１，７２およびヘッドフォン出力端子８１，８２に出力する。なお、スピーカ７１，７２は、車室内の任意の適切な箇所に設置することができる。
【００３２】
また、ヘッドフォン出力端子８１，８２は、ヘッドフォン（図示せず）を接続可能であり、音声出力部６１，６２から入力された音声信号を出力する。このヘッドフォン出力端子８１，８２は、ディスプレイ部１０の本体に設ける等、車室内の任意の適切な箇所に設置することができる。
【００３３】
メモリ３１に保持されている選択映像に関する設定テーブルにおいて、分割画面Ａは分割画面１２に表示される映像を意味し、分割画面Ｂは分割画面１３に表示される映像を意味する。この分割画面Ａ，Ｂは、図３に示すように、動画、音楽、メニュー、視聴なし等の種別とコンテンツが対応されている。そして、分割画面１２は入力インタフェース部Ａ２１によって操作可能であり、分割画面１３は入力インタフェース部Ｂ２２によって操作可能である。分割画面１２，１３で視聴するコンテンツが同一、もしくはそれぞれ他方の視聴がない場合は、両分割画面は表示画面１１となって１画面表示の形態で表示される。
【００３４】
映像種類判別部３２は、操作処理部３３から入力される操作コマンドに従って、コンテンツ素材データ格納手段４１から出力される映像ソースを「動画、音楽、メニュー、視聴なし」のいずれかの分類に判別して種別として、メモリ３１が保持する選択映像に関する設定テーブルに記憶する。
【００３５】
ここで、映像種別が音楽の場合の表示映像とは、再生される音楽楽曲の曲名や歌手名、アルバムジャケット画像、再生時間等の再生楽曲に関わる情報表示や、プレイリストやアルバム等のリスト表示がある。
【００３６】
また、映像種類判別部３２は、操作処理部３３から入力される操作コマンドに従って、コンテンツ素材データ格納手段４１から出力される映像ソースの選択されたコンテンツをコンテンツＩＤとして、メモリ３１が保持する選択映像に関する設定テーブルに記憶する。
【００３７】
分割画面の画面比率自動可変についての詳細は後述するが、分割画面１２，１３に表示される画面の態様は、２画面表示から１画面表示の態様に自動的に可変する。この時、１画面表示された画面の操作権限は入力インタフェース部２１，２２に排他的に付与される。また、この操作権の設定は随時変更可能であり、１画面の操作権は両者に付与することもできる。
【００３８】
なお、実施の形態１では、画面の種別を動画、音楽、メニュー、視聴なしの４種としたが、種別はこれに限定されるものではない。例えば、表示される画面領域によってそのレイアウトを視認しやすいように可変可能なＨＴＭＬ（Ｈｙｐｅｒ  Ｔｅｘｔ  Ｍａｒｋｕｐ  Ｌａｎｇｕａｇｅ）に代表されるプログラム言語を表すブラウザや、より広い表示領域を必要とするゲーム等の種別であってもよい。
【００３９】
メモリ３１に保持されている映像種別による画面比率テーブルは、図４に示すように、分割画面１２，１３に対応する動画、音楽、メニュー、視聴なしの種別の組合せで画面比率を決定する。具体的に説明すると、指示処理部３４は操作処理部３３から操作コマンドが入力されると、映像種別による画面比率テーブルを参照し、この参照値に基づいた画面比率で画面を合成するように映像合成部５３に指示コマンドを出力する。映像合成部５３は入力された指示コマンドの画面比率で分割画面１２および分割画面１３の画面を２画面分割の態様もしくは１画面の態様に合成する。例えば、分割画面１２の表示コンテンツの種別が動画であり、分割画面１３の表示コンテンツの種別が音楽である場合には、画面比率は「８０：２０」となり、表示画面１１の８０％が分割画面１２となり、残り２０％が分割画面１３となる。
【００４０】
なお、この発明の実施の形態１では、画面比率について図４に示す割合で設定しているが、この割合は実施の形態１により自由に設定可能であり、図の割合に限定されるものではない。
【００４１】
以下、上記の構成を有する表示領域分割可変表示装置１の動作を図５に示すフロー図に基づいて説明する。複数の視聴者が入力インタフェース部２１，２２を用いて操作コマンドを制御手段３０の操作処理部３３に供給すると、操作処理部３３は供給された操作コマンドを指示処理部３４に出力するとともに、映像種類判別部３２にメモリ３１が保持する選択映像に関する設定テーブルの設定情報を更新するように指示する（ステップＳＴ１０１）。
【００４２】
映像種類判別部３２は、操作処理部３３が取得した操作コマンドに示されたコンテンツから映像の種別を判定して、メモリ３１が保持する選択映像に関する設定テーブルの設定情報を更新する（ステップＳＴ１０２）。
【００４３】
指示処理部３４は、操作処理部３３から供給された操作コマンドに基づいて、分割画面１２および分割画面１３のいずれか一方が視聴なしかを判断する（ステップＳＴ１０３）。そして、ＹＥＳ、つまり、分割画面１２および分割画面１３のいずれか一方が視聴なしの場合、メモリ３１が保持する選択映像に関する設定テーブルおよび映像種別による画面比率テーブルを参照し、視聴なしではない方の分割画面の表示内容を１画面表示の形態で表示する指示信号を映像合成部５３に出力してステップＳＴ１１０に移行する。また、ＮＯ、つまり、分割画面１２，１３のいずれにも視聴ありの場合はステップＳＴ１０４に移行する。
【００４４】
指示処理部３４は、更新前のメモリ３１が保持する選択映像に関する設定テーブルを参照して、更新前の設定テーブルのコンテンツが同一であるかを判断（ステップＳＴ１０４）する。ＹＥＳ、つまり、更新前の表示画面１１の画面表示形態が１画面表示の形態で表示している場合は、映像合成部５３に映像表示形態を１画面表示の形態から２画面表示に変更する指示信号を出力してステップＳＴ１０６に移行する。一方、ＮＯ、つまり、更新前の表示画面１１の画面表示形態が２画面表示の形態で表示している場合はステップＳＴ１０５に移行する。
【００４５】
指示処理部３４はステップＳＴ１０５において、更新後のメモリ３１が保持する選択映像に関する設定テーブルを参照して、更新後の設定テーブルのコンテンツが同一であるかを判断し、ＹＥＳ、つまり、更新後の設定テーブルのコンテンツが同一である場合、映像合成部５３に映像表示形態を２画面表示の形態から１画面表示に変更する指示信号を出力してステップＳＴ１０８に移行する。一方、ＮＯ、つまり、更新後の設定テーブルのコンテンツが同一でない場合、映像合成部５３に映像表示形態を２画面表示する指示信号を出力してステップＳＴ１０７に移行する。
【００４６】
映像合成部５３は、ステップＳＴ１０６において、映像表示形態を１画面表示の形態から２画面表示に切換えてステップＳＴ１０９に移行し、ステップＳＴ１０７において、映像表示形態を２画面表示のまま継続してステップＳＴ１０９に移行する。また、ステップＳＴ１０８において、映像表示形態を２画面表示の形態から１画面表示に切換えてステップＳＴ１１０に移行する。
【００４７】
指示処理部３４は、映像表示形態が２画面表示である場合、ステップＳＴ１０９において、メモリ３１に保持された映像種別による画面比率テーブルを参照して、表示領域の分割画面比率を決定して映像合成部５３に指示信号を出力する。ここで、分割画面の画面比率を、操作コマンドによって画面変更指示のあった画面を新画面とし、操作コマンドによる画面変更の指示がなかった画面を既存画面とすると、新画面と既存画面の画面種別の関係から決定してステップＳＴ１１１に移行する。
【００４８】
例えば、分割画面１２で視聴者Ａが映画コンテンツを視聴中に分割画面１３を視聴する視聴者Ｂがメニュー操作から音楽楽曲を選択して視聴する場合、分割画面１２に表示された画面の種別は映像のまま一定であるが、分割画面１３に表示された画面の種別は図６（ａ），（ｂ），（ｃ）のように、表示なし、メユー、音楽と更新されるため、それぞれの分割画面１３の表示領域が変化する。
【００４９】
以上の動作の後、映像出力部５４は、ステップＳＴ１１０において、映像合成部５３が合成した１画面表示の形態の画面を表示画面１１に出力する。また、ステップＳＴ１１１において、映像合成部５３が合成した２画面表示の形態の画面を表示画面１１を分割した分割画面１２および分割画面１３に出力する。
【００５０】
以上のように、この実施の形態１によれば、１つのディスプレイ装置１０で複数の視聴者が視聴する場合、視聴者それぞれの操作画面に表示するコンテンツの種別を比較し、その表示内容が必要とする表示領域で、分割画面領域を可変するように構成したので、視聴者それぞれに最適な表示領域を提供することができ、視聴者にとっての利便性を向上することができるという効果がある。
【００５１】
実施の形態２．
図７はこの発明の実施の形態２に係わる表示領域分割可変表示装置の構成を示すブロック図、図８は実施の形態２に係わる表示形態の変化を示す説明図である。上記の実施の形態１では、選択映像に関する設定テーブルと映像種別による画面比率テーブルを保持しているメモリ３１、映像種類判別部３２、操作処理部３３を制御手段３０に設け、入力インタフェース部２１，２２によって、複数視聴者それぞれが入力した操作コマンドを、操作処理部３３を介して供給された映像種類判別部３２が判別し、メモリ３１に保持されている選択映像に関する設定テーブルの内容を更新し、この更新されたその映像種別の組合せに基づいてメモリ３１に保持されている映像種別による画面比率テーブルから画面比率を読み出して、分割画面領域を自動的に可変している。
【００５２】
しかし、実施の形態２では、表示画面１１を分割画面に切換えたり、分割画面の画面比率を調整することが可能な画像切換え部９０を制御手段３０に設け、この画像切換え部９０を複数視聴者それぞれが手動操作して、画面切換え信号を指示処理部３４に供給し、画面比率信号を映像合成部５３に供給するように構成したものである。
【００５３】
上記の画像切換え部９０としては、例えば、ディスプレイ部１０の表示面に画面比率を調整するタッチスイッチ９１、１画面から２画面へ、あるいは２画面から１画面に表示画面を切換えるタッチスイッチ９２を有する。
【００５４】
図８に示す２画面表示の状態において、タッチスイッチ９１を矢印方向に操作すると、この操作により得られた画面比率信号が映像合成部５３に供給され、分割画面１２の表示領域が斜線位置まで狭まり、反対に分割画面１３の表示領域が広がる。また、タッチスイッチ９２を操作すると、この操作により得られた画面切換え信号が指示処理部３４に供給され、図８に示す２画面表示が１画面に切換えられる。反対に１画面表示の状態において、タッチスイッチ９２を操作すると、１画面表示が２画面表示に切換えられる。
【００５５】
上記のように実施の形態２によれば、視聴者の手動操作で画面切換えおよび画面比率の調整を行うことができ、視聴者は自己の希望する表示画面を容易に得ることができる。また、実施の形態１において用いられている選択映像に関する設定テーブルと映像種別による画面比率テーブルを保持しているメモリ３１、映像種類判別部３２等が不要となり、構成の簡略化を図ることもできる。
【００５６】
実施の形態３．
実施の形態１，２では、表示画面１１を左右に２分割して分割画面１２，１３を形成しているが、図９（ａ）に示すように、表示画面１１を分割画面１２とし、この分割画面１２内に分割画面１３を重ね表示するようにしてもよい。また、図９（ｂ）に示すように、表示画面１１を例えば４分割しておき、その第１の分割画面を分割画面１２とし、第４の分割画面を分割画面１３とするようにしてもよい。
【符号の説明】
【００５７】
１０  ディスプレイ部（表示部）、１１  表示画面、１２，１３  分割画面、２１，２２  入力インタフェース部、３０  制御手段、３１  メモリ、３２  映像種類判別部、３３  操作処理部、３４  指示処理部、４０  コンテンツ管理部、４１  コンテンツ素材データ格納手段、５０  映像処理装置、５１，５２  映像処理部、５３，５４  映像合成部、６１，６２  音声出力部、７１，７２  スピーカ、８１，８２  ヘッドフォン出力端子、９０  画像切換え部、９１，９２  タッチスイッチ。
【図１】
2010186131.tif 000003
【図２】
2010186131.tif 000004
【図３】
2010186131.tif 000005
【図４】
2010186131.tif 000006
【図５】
2010186131.tif 000007
【図６】
2010186131.tif 000008
【図７】
2010186131.tif 000009
【図８】
2010186131.tif 000010
【図９】
2010186131.tif 000011